(57)【特許請求の範囲】
【請求項１】
液晶表示パネルと、
前記液晶表示パネルの観察者側の面上に配置された偏光板と、
前記偏光板の観察者側の面上に配置された導光板と、
前記導光板の端部に前記導光板と並んで配置され、前記導光板を介して前記液晶表示パネルに光を供給する光源と、
前記導光板上に配置された反射型液晶表示装置の操作用のパネルと、
前記液晶表示パネルを支持するシャーシ部材と、
前記光源を上下及び側面において覆うコの字型のフレーム部材と、
前記シャーシ部材に取り付けられ、前記光源が配置されている側面を除いて前記導光板の少なくとも周囲を覆って形成されているシールド部材と、
を備え、
前記シールド部材の上端面と前記フレーム部材の上端面とがほぼ同一平面内に配置され、
前記シールド部材の上端面と前記フレーム部材の上端面とにより前記操作用パネルを支持することを特徴とする反射型液晶表示装置。
【請求項２】
前記シールド部材は前記シャーシ部材に対して取り外し自在に取り付けられていることを特徴とする請求項１に記載の反射型液晶表示装置。
【請求項３】
前記シールド部材及び前記シャーシ部材の何れか一方には複数個の開口部が設けられ、他方には前記開口部に嵌合する凸部が形成されていることを特徴とする請求項２に記載の反射型液晶表示装置。
【請求項４】
前記複数個の開口部のうち一の開口部の軸線は他の一の開口部の軸線と異なる方向に延びていることを特徴とする請求項３に記載の反射型液晶表示装置。
【請求項５】
前記シールド部材及び前記シャーシ部材の何れか一方には複数個の開口部が設けられ、他方には前記開口部に嵌合する凸部が形成されているとともに、前記シールド部材には前記シャーシ部材に当接する当接部材が設けられており、前記シールド部材の前記開口部または前記凸部と前記シールド部材の前記当接部材とは前記シャーシ部材の相互に対向する面にそれぞれ係合することを特徴とする請求項２に記載の反射型液晶表示装置。
【発明の詳細な説明】
【０００１】
【発明の属する技術分野】
本発明は、液晶表示装置、特に、反射型液晶表示装置に関する。
【０００２】
【従来の技術】
携帯型のコンピュータに代表される携帯型端末装置に蓄積することができる電力量は限られているため、携帯型端末装置を構成する各部品は消費電力量が小さいことが要求される。このため、携帯型端末装置に使用されるディスプレイとしても、自発光型ではなく、従って、電力消費量が小さい液晶表示装置が広く用いられている。
【０００３】
しかしながら、液晶表示装置は自ら光を発しないため、何らかの光源を必要とし、液晶表示装置は、その光源及び表示パネルの種類に応じて、反射型液晶表示装置、透過型液晶表示装置及び半透過型液晶表示装置に分類される。
【０００４】
透過型液晶表示装置は、バックライト用の光源を備えており、このバックライトにより表示を行う。
【０００５】
反射型液晶表示装置は、内部に反射板を有し、この反射板により外部からの入射光を反射させて光源としている。このため、透過型液晶表示装置とは異なり、光源としてのバックライトを備える必要がない。
【０００６】
半透過型液晶表示装置は、上述の透過型液晶表示装置と反射型液晶表示装置とを組み合わせたものである。
【０００７】
反射型液晶表示装置は、透過型液晶表示装置よりも低消費電力化、薄型化、軽量化を達成することができるため、主に携帯端末用の表示装置として利用されている。その理由は、外部から入射した光を反射板で反射させることにより表示光源として利用することができるので、透過型液晶表示装置とは異なり、バックライト用の光源が不要になるからである。
【０００８】
しかしながら、反射型液晶表示装置は外光を光源として使用するものであるため、周囲が暗い場合には、表示の視認性が極端に悪化する。
【０００９】
このような問題点を解決するため、補助光源を設け、この補助光源から発せられる光を導光板を介して液晶表示装置に供給する形式の反射型液晶表示装置が、例えば、特許第２６９９８５３号（特開平７−１９９１８４号公報）、特開平１１−１４９２５２号公報、特開平１１−２１９６１０号公報及び特開２０００−１４７４９９号公報に記載されている。
【００１０】
このような補助光源を有する反射型液晶表示装置の一例を図５に示す。図５は、補助光源を有する従来の反射型液晶表示装置の断面図である。
【００１１】
図５に示す反射型液晶表示装置１００は、液晶表示パネル１０１と、液晶表示パネル１０１の観察者側の面上に配置された偏光板１０２と、偏光板１０２の観察者側の面上に配置された導光板１０３と、導光板１０３の端部に導光板１０３と並んで配置され、導光板１０３を介して、液晶表示パネル１０１に光を供給する光源１０４と、導光板１０３上に配置された反射型液晶表示装置１００の操作用のタッチパネル１０５と、液晶表示パネル１０１を支持するシャーシ部材１０６と、から構成されている。
【００１２】
本反射型液晶表示装置１００においては、光源１０４から発せられた光は導光板１０３を介して偏光板１０２に達し、偏光板１０２を通過することにより偏光された後、液晶表示パネル１０１に到達し、表示光として用いられる。
【００１３】
以下、従来の反射型液晶表示装置の具体的な構造を参照して、上述のタッチパネル１０５がどのように支持されているかを考察する。
【００１４】
図６は、他の従来の反射型液晶表示装置１１０の断面図である。
【００１５】
図６に示す反射型液晶表示装置１１０においては、光源１０４は断面がコの字をなした光源１０４のカバー用のフレーム部材１０７により覆われている。さらに、シャーシ部材１０６には、断面が逆Ｌ字状をなしているシールド部材１０８が取りつけられており、タッチプレート１０５はその両端においてシールド部材１０８上に載ることにより支持されており、かつ、両面テープを介してシールド部材１０８上に固定されている。
【００１６】
図７は、さらに他の従来の反射型液晶表示装置１２０の断面図である。
【００１７】
図７に示す反射型液晶表示装置１２０においては、タッチプレート１０５はその一端（図７の左側端部）においてはフレーム部材１０７上において支持され、他端（図７の右側端部）においてはシャーシ部材１０６上において支持されている。
【００１８】
【発明が解決しようとする課題】
前述のように、液晶表示装置は電力消費量が小さいことから各種の携帯端末装置に採用されているが、今日では、各携帯端末装置は一層の小型化が求められており、このため、携帯端末装置に搭載される液晶表示装置に対しても一層の小型化、具体的には、薄型化あるいは小幅化が求められている。
【００１９】
この観点から図６に示した従来の反射型液晶表示装置１１０を考察すると、反射型液晶表示装置１１０においては、タッチプレート１０５とフレーム部材１０７との間にシールド部材１０８が挟まれた状態で保持されているため、シールド部材１０８の厚さの分だけ、反射型液晶表示装置１１０の厚さは大きくならざるを得ない。
【００２０】
また、図７に示した従来の反射型液晶表示装置１２０においては、タッチプレート１０５をその一端において固定しているシャーシ部材１０６の幅Ａの分だけ、反射型液晶表示装置１２０の全幅は大きくならざるを得ない。
【００２１】
このように、従来の反射型液晶表示装置においては、タッチプレート１０５の支持構造が、反射型液晶表示装置の薄型化及び小幅化を図ることを困難にしている一因となっていた。
【００２２】
さらに、図６及び図７に示した従来の反射型液晶表示装置１１０、１２０におけるシールド部材１０８はいずれも額縁形状をなしているが、必ずしもその大きさに見合った効能を果たしていなかった。
【００２３】
本発明はこのような点に鑑みてなされたものであり、薄型化及び小幅化を図ることが可能な反射型液晶表示装置、さらには、反射型液晶表示装置の薄型化及び小幅化を促進する反射型液晶表示装置用のシールド部材を提供することを目的とする。
【００２４】
【課題を解決するための手段】
この目的を達成するため、本発明は、液晶表示パネルと、前記液晶表示パネルの観察者側の面上に配置された偏光板と、前記偏光板の観察者側の面上に配置された導光板と、前記導光板の端部に前記導光板と並んで配置され、前記導光板を介して前記液晶表示パネルに光を供給する光源と、前記導光板上に配置された反射型液晶表示装置の操作用のパネルと前記液晶表示パネルを支持するシャーシ部材と、前記光源を上下及び側面において覆うコの字型のフレーム部材と、前記シャーシ部材に取り付けられ、前記光源が配置されている側面を除いて前記導光板の少なくとも周囲を覆って形成されているシールド部材と、を備え、前記シールド部材の上端面と前記フレーム部材の上端面とがほぼ同一平面内に配置され、
前記シールド部材の上端面と前記フレーム部材の上端面とにより前記操作用パネルを支持することを特徴とする反射型液晶表示装置を提供する。
【００２５】
例えば、前記シールド部材は前記シャーシ部材に対して取り外し自在に取り付けられるように構成することが可能である。
【００２６】
そのためには、例えば、前記シールド部材及び前記シャーシ部材の何れか一方には複数個の開口部を設け、他方には前記開口部に嵌合する凸部を形成することができる。
【００２７】
前記複数個の開口部のうち一の開口部の軸線は他の一の開口部の軸線と異なる方向に延びていることが好ましい。例えば、それらの軸線が相互に直交していることが好ましい。
【００２８】
前記シールド部材及び前記シャーシ部材の何れか一方には複数個の開口部が設けられ、他方には前記開口部に嵌合する凸部が形成されているとともに、前記シールド部材には前記シャーシ部材に当接する当接部材が設けられており、前記シールド部材の前記開口部または前記凸部と前記シールド部材の前記当接部材とは前記シャーシ部材の相互に対向する面にそれぞれ係合することが好ましい。
【００２９】
【発明の実施の形態】
図１は、後述するタッチパネルを取り外した状態における本発明の一実施形態に係る反射型液晶表示装置１０の平面図、図２は図１のＢ−Ｂ線における断面図、図３は図１のＡ−Ａ線における断面図である。
【００３０】
本実施形態に係る反射型液晶表示装置１０は、液晶表示パネル１１と、液晶表示パネル１１の観察者側の面上に配置された偏光板１２と、偏光板１２の観察者側の面上に配置された導光板１３と、導光板１３の端部に導光板１３と並んで配置され、導光板１３を介して液晶表示パネル１１に光を供給する光源１４と、導光板１３上に配置された反射型液晶表示装置操作用のタッチパネル１５と、液晶表示パネル１１を支持するシャーシ部材１６と、光源１４を上下及び側面において覆うコの字型のフレーム部材１７と、シャーシ部材１６に取り外し自在に取り付けられ、光源１４が配置されている側面を除いて導光板１３の周囲を覆って形成されているシールド部材１８と、から構成されている。
【００３１】
図２及び図３に示すように、タッチパネル１５はその両端においてフレーム部材１７及びシールド部材１８上に載って支持されており、かつ、両面テープ（図示せず）を介してフレーム部材１７及びシールド部材にそれぞれ固定されている。
【００３２】
図４は、シールド部材１８及びシャーシ部材１６のみを示した分解斜視図である。
【００３３】
図４に示すように、シールド部材１８は、コの字形状をなした上面１８ａと、上面１８ａの外側縁部から下方に垂直に延びる三つの側面１８ｂ、１８ｃ、１８ｄとからなる。側面１８ｂと１８ｄとの間の空いている空間に光源１０４及びフレーム部材１７が位置する。
【００３４】
さらに、シールド部材１８には、上面１８ａの端部から下方に垂直に延びる当接部材１８ｅが形成されている。側面１８ｂ及び１８ｄには、上面１８ａの端部の近傍において、矩形状の開口部１８ｆ、１８ｇがそれぞれ形成されている。また、側面１８ｃには、当接部材１８ｅとほぼ同一直線上に位置するように開口部１８ｈ、１８ｉが形成されている。
【００３５】
シャーシ部材１６は、上方から見ると、シールド部材１８に対応して、シールド部材１８が規定する長方形とほぼ同一の長方形形状をなしている。具体的には、シャーシ部材１６は、外形が矩形をなし、中央部に矩形の開口を有する底面部材１６ａと、底面部材１６ａの外縁から上方に延びる４つの側面１６ｂ、１６ｃ、１６ｄ、１６ｅと、から構成されている。
【００３６】
側面１６ｂには、シールド部材１８をシャーシ部材１６に組み合わせたときに開口部１８ｆに嵌合する凸部１６ｆが外側に向くように形成され、側面１６ｃには、シールド部材１８をシャーシ部材１６に組み合わせたときに開口部１８ｇに嵌合する凸部１６ｇが外側に向くように形成され、側面１６ｅには、シールド部材１８をシャーシ部材１６に組み合わせたときに開口部１８ｈ、１８ｉに嵌合する凸部１６ｈ、１６ｉがそれぞれ外側に向くように形成されている。
【００３７】
また、シールド部材１８をシャーシ部材１６に組み合わせたときに、シールド部材１８の当接部材１８ｅはシャーシ部材１６の側面１６ｄに当接する。これによって、シールド部材１０８のＹ方向への移動を抑制し、各開口部１８ｈ、１８ｉが凸部１６ｈ、１６ｉから外れることを防止することができる。
【００３８】
以上のように、シールド部材１８は各開口部１８ｆ、１８ｇ、１８ｈ、１８ｉをシャーシ部材１６の凸部１６ｆ、１６ｇ、１６ｈ、１６ｉにそれぞれ嵌合させることにより、シャーシ部材１６に対して取り外し自在に結合される。
【００３９】
この場合、シールド部材１８の各開口部１８ｈ、１８ｉをシャーシ部材１６の凸部１６ｈ、１６ｉにそれぞれ嵌合させ、かつ、シールド部材１８の当接部材１８ｅをシャーシ部材１６の側面１６ｄに当接させることにより、シールド部材１８をシャーシ部材１６に対して結合することが可能であるが、シールド部材１８に矢印Ｒの向きのモーメントが作用すると、シールド部材１８がシャーシ部材１６から外れる可能性がある。このため、シールド部材１８の各開口部１８ｆ、１８ｇをシャーシ部材１６の凸部１６ｆ、１６ｇにそれぞれ嵌合させることにより、そのようなモーメントが作用しても、シールド部材１８がシャーシ部材１６から外れることはなくなる。
【００４０】
また、開口部１８ｆ、１８ｇの中心を通る軸線と開口部１８ｈ、１８ｉの中心を通る軸線とが相互に直交しているため、それらの開口部１８ｆ、１８ｇ、１８ｈ、１８ｉに対応する凸部１６ｆ、１６ｇ、１６ｈ、１６ｉを嵌合させることにより、シールド部材１８をシャーシ部材１６から外そうとする力がシールド部材１８に作用しても、開口部１８ｈと凸部１６ｈとの間の結合力（または、開口部１８ｉと凸部１６ｉとの間の結合力）あるいは開口部１８ｆと凸部１６ｆとの間の結合力（または、開口部１８ｇと凸部１６ｇとの間の結合力）により、そのような力が相殺されるため、シールド部材１８を確実にシャーシ部材１６に対して結合させておくことができる。
【００４１】
本実施形態に係る反射型液晶表示装置１０においては、図２に示すように、シールド部材１８の上面１８ａとフレーム部材１７の上側の面とがほぼ同一平面内に配置される。本実施形態に係る反射型液晶表示装置１０がこのような構造を有する結果、光源１４が位置する側においては、タッチプレート１５はこれらシールド部材１８及びフレーム部材１７上に支持されることとなり、光源１４と反対側においては、タッチプレート１５はシールド部材１８上に支持されることとなる。
【００４２】
このため、図６に示した従来の反射型液晶表示装置１１０のように、シールド部材１０８がフレーム部材１０７と重なり合うことがなくなり、図６に示した従来の反射型液晶表示装置１１０と比較して、本実施形態に係る反射型液晶表示装置１０は、シールド部材１０８の厚さに相当する分だけ、厚さを薄くすることが可能である。
【００４３】
さらに、本実施形態に係る反射型液晶表示装置１０においては、図３に示すように、光源１４と反対側においては、タッチプレート１５はシールド部材１８上に支持されている。
【００４４】
このため、図７に示した従来の反射型液晶表示装置１２０のように、幅Ａのシャーシ部材１０６を用いてタッチプレート１０５を支持する必要はなくなり、シャーシ部材１０６の幅の分だけ、本実施形態に係る反射型液晶表示装置１０の幅を小さくすることが可能である。
【００４５】
また、図６及び図７に示した従来の反射型液晶表示装置１１０、１２０におけるシールド部材１０８はいずれも額縁形状をなしていたのに対して、本実施形態に係る反射型液晶表示装置１０におけるシールド部材１８は上方から見たときにコの字型をなしており、従来のシールド部材１０８と比較して、材料の量を減少させることができる。例えば、一枚の板から複数個のシールド材１０８を取る場合、コの字の開口部分を相互に向かい合わせるようにすることにより、額縁形状の従来のシールド部材１０８と比較して、材料を効率的に取ることができる。このため、材料コストを低減させることができる。
【００４６】
なお、上述の実施形態においては、シールド部材１８に開口部１８ｆ、１８ｇ、１８ｈ、１８ｉを設け、シャーシ部材１６に各開口部に対応する凸部１６ｆ、１６ｇ、１６ｈ、１６ｉを設けたが、シャーシ部材１６に開口部を設け、シールド部材１８にそれらの開口部に対応する凸部を設けることも可能である。
【００４７】
さらには、シールド部材１８をシャーシ部材１６に対して取り外し自在に設けることも必ずしも必要ではなく、シールド部材１８をシャーシ部材１６に対して固定的に取りつけることが可能である。
【００４８】
【発明の効果】
以上のように、本発明によれば、タッチプレートは、その一端において、シールド部材及びフレーム部材上に支持される。このため、従来の反射型液晶表示装置のように、シールド部材がフレーム部材と重なり合うことがなくなり、本発明に係る反射型液晶表示装置は、従来の反射型液晶表示装置と比較して、シールド部材の厚さに相当する分だけ、厚さを薄くすることができる。
【００４９】
また、本発明に係る反射型液晶表示装置においては、光源と反対側においては、タッチプレートはシールド部材上に支持される。このため、従来の反射型液晶表示装置のように、幅Ａのシャーシ部材を用いてタッチプレートを支持する必要はなくなり、シャーシ部材の幅Ａの分だけ、本発明に係る反射型液晶表示装置の幅を小さくすることができる。
【００５０】
また、本発明におけるシールド部材はコの字型になるように形成することができる。このため、額縁形状をなしていた従来のシールド部材と比較して、材料の量を減少させることができる。例えば、一枚の板から複数個のシールド材を取る場合、コの字の開口部分を相互に向かい合わせるようにすることにより、額縁形状の従来のシールド部材と比較して、材料を効率的に取ることができる。このため、材料コストを低減させることができる。
【図面の簡単な説明】
【図１】本発明の一実施形態に係る反射型液晶表示装置の平面図である。
【図２】図１のＢ−Ｂ線における断面図である。
【図３】図１のＡ−Ａ線における断面図である。
【図４】シールド部材及びシャーシ部材の分解斜視図である。
【図５】補助光源を有する従来の反射型液晶表示装置の断面図である。
【図６】他の従来の反射型液晶表示装置の断面図である。
【図７】さらに他の従来の反射型液晶表示装置の断面図である。
【符号の説明】
１０  本発明の一実施形態に係る反射型液晶表示装置
１１  液晶表示パネル
１２  偏光板
１３  導光板
１４  光源
１５  タッチプレート
１６  シャーシ部材
１７  フレーム部材
１８  シールド部材
【図１】
0003990193.tif 000002
【図２】
0003990193.tif 000003
【図３】
0003990193.tif 000004
【図４】
0003990193.tif 000005
【図５】
0003990193.tif 000006
【図６】
0003990193.tif 000007
【図７】
0003990193.tif 000008